(57)【要約】【課題】書棚などの付帯品を支持する間仕切りパネルにおいて、縦目地に露出した支持レールの凹溝で指先を挟む事故の発生を防ぎ、利用者の安全を確保する。【解決手段】支持レールの断面と同じ断面形状であって一側に支持レールの端部を閉塞する面を設けるとともに、支持レールの凹溝に面する端部にレール端部に嵌合する突起を設けてエンドキャップを形成し、前記突起を支持レールの端部に嵌合させてエンドキャップを支持レールの端部に固定し、レール端部を閉塞する。【選択図】図１
2008081937.tif 000002
【特許請求の範囲】
【請求項１】
書棚などの付帯品を支持する支持レールの端部に取り付けて当該レール端部を閉塞するエンドキャップであって、側端部に支持レールの端部に嵌合する突起を設けたことを特徴とする支持レールのエンドキャップ。
【請求項２】
付帯品の係合突部が係合する支持レール前面に開口した凹溝と当該凹溝の背面側に設けられた凹所とに突起を嵌合させて支持レールの端部に取り付けられる請求項１に記載の支持レールのエンドキャップ。
【発明の詳細な説明】
【技術分野】
【０００１】
本発明は、床面上に立て並べた支柱で壁パネルを上下複数段に支持して構成される間仕切り壁などで、上下の壁パネルの間に支持レールを設置し、この支持レールで書棚などの付帯品を支持する場合に、支持レールの端部に取り付けて当該レール端部を閉塞するエンドキャップに関する。
【背景技術】
【０００２】
書棚などの付帯品を装備した間仕切り壁１として、例えば図７に示されるように、床面Ｆ上に立て並べた支柱２、２の間に壁パネル３を上下複数段に取り付けるとともに、上下の壁パネル３、３の間にアルミ型材からなる支持レール４を取り付け、この支持レール４の凹溝４１に付帯品５の係合突部５１を係合させ、付帯品５を壁パネル３の前面で懸架して支持する構成のものが知られている。図中、符号６は床レール、７は天井レールである（例えば特許文献１、２参照）。
【０００３】
【特許文献１】特開２００４−２７０３３０号公報
【特許文献２】特開２００５−９７９５５号公報
【発明の開示】
【発明が解決しようとする課題】
【０００４】
図示した従来の間仕切り壁１にあっては、図８に示されるように、左右壁パネル３、３の間の縦目地８に面して、支持レール４の凹溝４１の端部が露出するようになっていた。
そして、この縦目地８は、手の指先が入る１０ｍｍ程度の幅に設けられているため、例えば縦目地８に手をかけたり、歩行中に縦目地８に指先があたったりしたとき、或いは支持レール４に沿って付帯品５をスライドさせようとしたときなどに、支持レール４の切断端面に手先が触れて裂傷を負ったり、指先を支持レール４の凹溝４１に挟んだりする事故を誘発する危険があった。
【０００５】
本発明は従来技術の有するこのような問題点に鑑み、支持レールの切断端面で手先を怪我することなく、また、支持レールの凹溝で指先を挟む事故の発生を防ぎ、付帯品を装備した間仕切り壁などを利用する者の安全を確保することを課題とする。
【課題を解決するための手段】
【０００６】
前記課題を解決するため本発明は、支持レールの端部に取り付けるエンドキャップを新たに開発し、支持レールの端部にエンドキャップを装着して当該レール端部を閉塞することで、手先が支持レールの切断端面に触れないようにし、また、支持レールの凹溝に指先が挟まれることがないように構成した。
【０００７】
より具体的には、エンドキャップは支持レールの端部を閉塞する面を設けて形成するとともに、支持レールの凹溝に面する端部に、支持レールの端部に嵌合する突起を設けて形成し、この突起を支持レールの端部に嵌合させて支持レールの端部に一体に固定されるように構成した。
前記突起は、付帯品の係合突部が係合する支持レールの前面に開口した凹溝と当該凹溝の背面側に設けられた凹所とに嵌合するように設けることができる。
【０００８】
エンドキャップは、縦目地の左右両側に面する支持レールのそれぞれの端部に取り付けられるエンドキャップ同士を継手で一体に連結した構成としてもよい。また、支柱の前後に壁パネルと支持レールが取り付けられている場合、前後の支持レールのそれぞれの端部に取り付けられるエンドキャップ同士を継手で一体に連結した構成としてもよい。
なお、支持レールの端部に嵌合するエンドキャップの突起は、支持レールの端面形状に対応した適宜な嵌合形状に設けることができる。
【発明を実施するための最良の形態】
【０００９】
本発明の好適な実施形態を図面を参照して説明する。
図１は本発明の一実施形態のエンドキャップを支持レールの端部に取り付けた間仕切り壁の要部破断拡大図、図２は図１の間仕切り壁の要部縦断面図、図３は図１の間仕切り壁の要部横断面図、図４は図１のエンドキャップの外観図と側面図、図５は他の実施形態のエンドキャップの外観図とこれを支持レールの端部に取り付けた間仕切り壁の要部破断拡大図、図６は同じく他の実施形態のエンドキャップの外観図とこれを支持レールの端部に取り付けた間仕切り壁の要部破断拡大図である。各図において前記従来例の間仕切り壁と同一の構成部材には同一の符号を付してある。
【００１０】
各図に示した間仕切り壁１は、前記図７に示されたものと同様に、床面Ｆに支柱２、２を立て並べ、支柱２、２の前後両側から横長の壁パネル３、３を各支柱２、２の間に架け渡し、上下複数段に並べて取り付けるとともに、上下の壁パネル３、３の間に支持レール４を設置し、この支持レール４の凹溝４１に付帯品５の係合突部５１を係合させて付帯品５を支持する構成のものであり、左右壁パネル３、３の間の縦目地８に面した支持レール４の端部に、本発明のエンドキャップ９、９１、９２を取り付けて支持レール４の端部を閉塞してある。
【００１１】
より詳しくは、各支柱２は、床面Ｆ上に固定された床レール６内に所定間隔を開けて立設させ、上部に天井面から吊下した天井レール７を装着して、床面Ｆ上に固定してある。
【００１２】
壁パネル３は、パネル材３１の上下両端部に断面略Ｃ字形を呈するフレーム３２を取り付け、周面をカバー材３３で一体に覆って構成してある。
図２に示されるように、上下両端部のフレーム３２の端面には凹部３２ａが形成されており、この凹部３２ａ内に後述する支持レール４の上下両面に突出させた係止突部４２、４３を嵌入させて、上下の壁パネル３、３同士が支持レール４を挟んで一体に継ぎ合わさるように設けてある。
また、壁パネル３は、図３に示されるように、左右に隣接する壁パネル３とともに側辺を支柱２の表面に接合させ、カバー材３３側端の折り返し片３３ａに目地金具８ａを係合させた状態で目地金具８ａの外側からネジ８ｂを支柱２にねじ入れて支柱２、２に固定され、左右壁パネル３、３の間の縦目地８の部分には目地棒８ｃが取り付けられるようになっている。
【００１３】
支持レール４は、支柱２よりも若干幅広であって支柱２、２の側面間に亘る長さを有する板材の両側に、付帯品５の係合突部５１が係合する凹溝４１、４１を形成し、両凹溝４１、４１の上下両面に、当該板材の長手両端に亘って伸びた上下係止突部４２、４３を一体に設けて形成してある。凹溝４１は、支持レール４の側面から幅方向へ上方へ湾曲しながら開口した断面弓形に形成されており、その背面側の下側係止突部４３との間には凹溝４１と平行に伸び凹所４４を設けてある。
【００１４】
図１に示された間仕切り壁１では、縦目地８に面する左右の支持レール４、４の端部にそれぞれ取り付けて、支持レール４の端部を閉塞するエンドキャップ９の形態を示している。
より詳しくは、エンドキャップ９は、図４に示されるように、支持レール４の端部断面形状と同じ断面形状に形成されており、その一側９ａを閉塞した面とし、他側９ｂを支持レール４の端部にぴったりと接合するように設けるととともに当該側の面内に支持レール４の凹溝４１と凹所４４に嵌合する突起９ｃ、９ｄを適宜な長さで突出させて形成してある。また、前面には支持レール４の凹溝４１に連なる凹部９ｅを設け、上下両面には支持レール４の上下係止突部４２、４３に連なる突部９ｆ、９ｇを設けてある。
このように形成されたエンドキャップ９は、支持レール４の端部側方からあてがい、突起９ｃ、９ｄを凹溝４１と凹所４４とに差し入れてそのまま押し込めば、両突起がそれぞれ嵌合して支持レール４の端部に固定され、前記閉塞した一側９ａの面で支持レール４の端部を閉塞する。
【００１５】
また、図５に示された間仕切り壁１では、縦目地８に面する左右の支持レール４、４の端部に一体のエンドキャップ９１を取り付けて、両レールの端部を閉塞する形態を示している。
より詳しくは、エンドキャップ９１は、同図に示されるように、前記エンドキャップ９と同様に、支持レール４の端部断面形状と同じ断面形状であって、左右対称形状に形成された一対のキャップ体９Ａ、９Ａを、継手部９Ｂで左右に一体に連結した形状に形成してある。
両キャップ体９Ａ、９Ａは、前記エンドキャップ９と同様に、その一側９ａを閉塞した面とし、他側９ｂを支持レール４の端部にぴったりと接合するように設けるととともに当該側の面内に支持レール４の凹溝４１と凹所４４に嵌合する突起９ｃ、９ｄを適宜な長さで突出させ、前面に支持レール４の凹溝４１に連なる凹部９ｅを設け、さらに上下両面には支持レール４の上下係止突部４２、４３に連なる突部９ｆ、９ｇを設けてある。
このように形成されたエンドキャップ９１は、縦目地８に面した左右の支持レール４に対し、両側に突出した突起９ｃ、９ｄをそれぞれ左右の支持レール４の凹溝４１と凹所４４に嵌合して両支持レール４、４の端部間に固定され、両キャップ体９Ａ、９Ａの閉塞した一側９ａ、９ａの面で、左右の支持レール４、４の端部を閉塞する。
【００１６】
また、図６に示された間仕切り壁１では、間仕切り壁１の前後の縦目地８に面した支持レール４の前側端部と後側端部に一体のエンドキャップ９２を取り付けて、支持レール４の前後端部を閉塞する形態を示している。
より詳しくは、エンドキャップ９２は、同図に示されるように、前記形態の一対のキャップ体９Ａ、９Ａを、継手部９Ｃで前後に一体に連結した形状に形成したものであり、前後の縦目地８に面する支持レール４の前後端部に突起９ｃ、９ｄを凹溝４１と凹所４４に嵌合して支持レール４の前後端部に固定し、両キャップ体９Ａ、９Ａの閉塞した一側９ａ、９ａの面で、支持レール４の前後端部を閉塞するように設けてある。
【００１７】
このように構成された本発明のエンドキャップ９、９１、９２によれば、支持レール４の端部に取り付けて当該レール端部を確実に閉塞することができるので、支持レール４の切断端面で手先を傷つけたり、支持レール４の凹溝４１に指先を挟んだりする事故を誘発する危険がなくなり、付帯品５を装備した間仕切り壁１を利用する者の安全を確保することができる。
【００１８】
なお、図示した間仕切り壁の構成及びエンドキャップの形態は一例であり、本発明はこれらの形態に限定されず、他の適宜な形態で構成可能である。また、本発明のエンドキャップは、図示した間仕切り壁の他にも、支持レールが取り付けられる適宜な壁パネルや付帯品支持装置などに、支持レールの端部を閉塞する部材として使用が可能である。
【図面の簡単な説明】
【００１９】
【図１】本発明の一実施形態のエンドキャップを支持レールの端部に取り付けた間仕切り壁の要部破断拡大図である。
【図２】図１の間仕切り壁の要部縦断面図である。
【図３】図１の間仕切り壁の要部横断面図である。
【図４】図１のエンドキャップの外観図（Ａ）と側面図（Ｂ）である。
【図５】他の実施形態のエンドキャップの外観図（Ａ）とこれを支持レールの端部に取り付けた間仕切り壁の要部破断拡大図（Ｂ）である。
【図６】さらに他の実施形態のエンドキャップの外観図（Ａ）とこれを支持レールの端部に取り付けた間仕切り壁の要部破断拡大図（Ｂ）である。
【図７】従来の一例の間仕切り壁の外観図である。
【図８】従来の間仕切り壁の要部縦断面図である。
【符号の説明】
【００２０】
１  間仕切り壁、２  支柱、３  壁パネル、４  支持レール、４１  凹溝、４４  凹所、５  付帯品、６  床レール、７  天井レール、８  縦目地、９、９１、９２  エンドキャップ
【図１】
2008081937.tif 000003
【図２】
2008081937.tif 000004
【図３】
2008081937.tif 000005
【図４】
2008081937.tif 000006
【図５】
2008081937.tif 000007
【図６】
2008081937.tif 000008
【図７】
2008081937.tif 000009
【図８】
2008081937.tif 000010